(57)【要約】【課題】用紙を綴じるツインリングを構成する線材の両端に、他のノート、携帯品等の他物が引っ掛からないようにすること。【解決手段】一本の線材を用いて円環状をなす多数のリング部２０を形成し、当該リング部２０を用紙Ｐの綴じ穴１０に挿入可能に設けることでノート類Ｎのツインリング１１が形成される。前記線材の端Ｅは、直近内側のリング部２０に接するようにリング部２０の円周軌跡上に位置する状態で曲げられ、これにより、端部２５に対する他物の引っ掛かり防止が図られる。【選択図】図２
2011016374.tif 000002
【特許請求の範囲】
【請求項１】
線材により構成されるとともに、所定の綴じ穴に挿入された複数の略円環状リング部を備えてなるノート類のツインリングにおいて、
前記線材の端又は端部は、前記ノート類の上端側及び下端側に突出することなくリング部の略円周軌跡上若しくは略円周軌跡又はこれの近傍に位置する引っ掛かり防止形状に設けられていることを特徴とするツインリング。
【請求項２】
前記線材の端部は、内側に曲げられていることを特徴とする請求項１記載のツインリング。
【請求項３】
線材により構成されるとともに、所定の綴じ穴に挿入された複数の略円環状リング部を備えてなるノート類のツインリングの中間素材の製造方法において、
一本の線材を用い、短寸幅方向に延びて相互に略平行な位置をとる直線部と、これら直線部の軸方向両端側に位置して当該直線部と交差する第１及び第２の屈曲部とからなるジグザグ形状の中間素材を形成した後、仮想直線位置を中心として前記中間素材の幅方向両側を湾曲させ、
前記中間素材を必要な長さに応じて切断を行い、
前記切断によって生じた線材の両端部を内側に曲げるこことを特徴とするツインリングの中間素材の製造方法。
【請求項４】
請求項１又は２記載のツインリングを、用紙に備えられた多数の綴じ穴に挿入して構成されたノート類において、前記用紙は、表表紙、裏表紙及びこれら表紙間に位置する多数枚の筆記用紙により構成されていることを特徴とするノート類。
【発明の詳細な説明】
【技術分野】
【０００１】
本発明はツインリング及びその中間素材の製造方法並びにノート類に係り、更に詳しくは、用紙の一端側に形成された多数の綴じ穴に挿入されるツインリング及びその中間素材の製造方法並びにノート類に関する。
【背景技術】
【０００２】
周知のノート類においては、線材からなるリング状の綴じ具を用いて綴じられたタイプのものが知られている。この綴じ具は、金属等からなる線材を軸方向に沿って螺旋状に形成してなるスパイラルリングが存在し、当該スパイラルリングを用紙の一端側に形成された多数の綴じ穴に挿入することで一冊に綴じられたノート類を製作することができる。
【０００３】
しかしながら、スパイラルリングからなる綴じ具は、螺旋状に延びている構造であるため、ノート類を構成する用紙を見開き状態としたときに、左右の各用紙が上下方向に相対的にずれてしまうという不都合がある。また、スパイラルリングは、用紙からの抜け防止を図るために、螺旋の向きに対し、端部を反対側の向きとする必要があり、この逆向きの端部の存在によって用紙が部分的に捲り難くなるという不都合もある。そのため、最近では、図１０に示されるツインリング５０を綴じ具として採用することが主流となっている。
【０００４】
前記ツインリング５０は、従来のスパイラルリングと同様に、一本の線材（図１１参照）を用いて構成されるが、用紙Ｐの綴じ込み側縁ＰＥに沿って長さ若しくは幅が異なる二種のリング端５１，５２を交互且つ規則的な間隔をおいて位置させることで、各リング部５３が用紙Ｐの綴じ込み側縁ＰＥに対して略直交する方向（図１０では左右方向に沿う略水平方向）に位置可能となり、これにより、用紙Ｐを見開き状態にしても、左右の用紙Ｐ,Ｐが上下方向にずれることがないようになっている。
【発明の概要】
【発明が解決しようとする課題】
【０００５】
しかしながら、このようなツインリング５０は、図１１に示されるように、一本の線材を同一平面内でジグザグに形成した中間素材Ｌを用いること、及び、製造上の便宜から、円環状に加工する前の長尺な中間素材Ｌを用いて必要な長さ分に応じて切断したものを採用することから、最終形状として、線材の端部５４及び端Ｅ（図１０参照）がツインリング５０の両端にそのまま表れることなる。これらの端部５４，５４及び端Ｅ,Ｅは、ノート類Ｎの上端側及び下端側に向いた状態に突出する形状となり、そのため、端Ｅに別のノート、手帳、ペンケース、携帯電話のストラップ、衣服、印刷物等の他物が引っ掛かる虞を回避し得る対策を採ることが望ましい。
【０００６】
また、ツインリング５０に用いる線材は、金属線の外周に樹脂等で被覆したものを通常用いるが、端Ｅは前述した切断によって金属が露出することとなり、当該露出した線材の端面に経時的な錆等を発生する場合を生ずる。そのため、前述のように、端Ｅがノート類Ｎの上端側及び下端側にそれぞれ突出した形状では、他の書類等に錆が移り易いものとなる。
【０００７】
更に、ユーザーの取り扱い方によっては、用紙Ｐを捲り操作したときに、端Ｅに接する用紙Ｐ部分の綴じ穴５５回りを破いてしまったり、用紙Ｐの綴じ穴５５が端Ｅを乗り越えてしまう不都合も招来する。
【０００８】
［発明の目的］
本発明の目的は、線材の端に対して他物の引っ掛かりを生じ難くすることのできるツインリング及びその中間素材の製造方法並びにノート類を提供することにある。
【０００９】
本発明の他の目的は、用紙の綴じ穴周辺の部分的な破れを防止するとともに、綴じ穴が線材の端部から抜け出ることを防止することのできるツインリングを提供することにある。
【課題を解決するための手段】
【００１０】
前記目的を達成するため、本発明は、線材により構成されるとともに、所定の綴じ穴に挿入された複数のリング部を備えてなるノート類のツインリングにおいて、
前記線材の端又は端部は、前記ノート類の上端側及び下端側に突出することなくリング部の略円周軌跡上若しくは略円周軌跡又はこれの近傍に位置する引っ掛かり防止形状に設けられる、という構成を採っている。このような構成とすることで、線材の端に他物が引っ掛かる虞を効果的に防止することができる。
【００１１】
本発明において、前記線材の端部は、内側に曲げられる、という構成を採ることができる。これにより、線材の端向きが従来のツインリングとは逆向きとなるため、前述した引っ掛かりを確実に防止することが可能となる。
【００１２】
また、本発明は、線材により構成されるとともに、所定の綴じ穴に挿入された複数の略円環状リング部を備えてなるノート類のツインリングの中間素材の製造方法において、
一本の線材を用い、短寸幅方向に延びて相互に略平行な位置をとる直線部と、これら直線部の軸方向両端側に位置して当該直線部と交差する第１及び第２の屈曲部とからなるジグザグ形状の中間素材を形成した後、仮想直線位置を中心として前記中間素材の幅方向両側を湾曲させ、
前記中間素材を必要な長さに応じて切断を行い、
前記切断によって生じた線材の両端部を内側に曲げる、
という方法を採っている。
【００１３】
更に、本発明は、請求項１又は２記載のツインリングを、用紙に備えられた多数の綴じ穴に挿入して構成されたノート類において、前記用紙は、表表紙、裏表紙及びこれら表紙間に位置する多数枚の筆記用紙により構成される、という構成を採っている。
【００１４】
なお、本明細書において、「ツインリング」とは、一つの綴じ穴に対して、相互に略平行となる複数本の線材、例えば、二本の線材が通過するように構成されたものについて用いられる。また、「ノート類」とは、ノート、手帳の他、スケッチブック、書籍、写真集、カレンダー等、およそツインリングを用いて綴じ込むことのできるものを含む広い概念として用いられる。
【図面の簡単な説明】
【００１５】
【図１】本発明に係るツインリングが適用されたノート類の概略斜視図。
【図２】図１の要部拡大斜視図。
【図３】図１の要部拡大平面図。
【図４】ツインリングを形成する前の中間素材を示す概略斜視図。
【図５】前記実施例の変形例を示す要部拡大平面図。
【図６】前記実施例の他の変形例を示す要部拡大平面図。
【図７】前記実施例の更に他の変形例を示す要部拡大平面図。
【図８】前記実施例の他の変形例を示す要部拡大平面図。
【図９】前記実施例の更に他の変形例を示す要部拡大平面図。
【図１０】従来のツインリングを示す要部拡大平面図。
【図１１】従来のツインリングを形成する前の中間素材の概略斜視図。
【発明を実施するための形態】
【００１６】
以下、本発明の実施例を図面を参照しながら説明する。
【００１７】
図１には、本発明の実施例に係るノート類の概略斜視図が示され、図２には、その一部を拡大した概略斜視図が示されている。また、図３には、要部拡大平面図が示されている。これらの図において、ノート類Ｎは、多数の綴じ穴１０を備えた用紙Ｐと、前記綴じ穴１０内に挿入されたツインリング１１とにより構成されている。用紙Ｐは、表表紙Ｐ１及び裏表紙Ｐ２と、これら表紙Ｐ１，Ｐ２間に位置する多数枚の筆記用紙Ｐ３とにより構成されている。
【００１８】
前記ツインリング１１は、図４に示されるように、金属線の外周に樹脂被膜が設けられた一本の線材からなる中間素材Ｌを形成した後、仮想直線Ｃ位置を中心として中間素材Ｌの幅方向両側を図４中矢印で示す方向に湾曲することによって形成することができる。このツインリング１１は、中間素材Ｌの状態では短寸幅方向に延びて相互に略平行な位置をとる直線部１５と、これら直線部１５の軸方向両端側に位置して当該直線部１５と交差する第１及び第２の屈曲部１６，１７とからなり、これを湾曲してツインリング１１としたときに、前記直線部１５によりリング部２０が形成される一方、第１及び第２の屈曲部１６，１７によりリング端２１，２２が形成されることとなる。
【００１９】
前記第１及び第２の屈曲部１６，１７は、前記直線Ｃに沿って交互に所定ピッチで形成されている。そして、中間素材Ｌの状態で同一平面内に位置するジグザグ形状に設けられるとともに、第１の屈曲部１６の長さ若しくは幅は、第２の屈曲部１７の長さ若しくは幅よりも長く形成され、ツインリング１１として完成したときに、前記リング端２１，２２が相互に干渉することなく側面視略円環状の外形を保有することとなる。
【００２０】
また、中間素材Ｌからツインリング１１への形成は以下のようにして行われる。すなわち、ジグザグ形状の中間素材Ｌを予め略Ｃ字状に予備形成し、その後に必要な長さに応じて切断を行う。この切断によって生じた線材の両端部２５，２５を、直近内側の線材に向くように曲げ、次いで、最終的に側面視円環状となるように最終形成を行う。なお、図４では、本実施例に係るツインリング１１を平面的にそのまま展開した状態を示しているが、これは、図面を見易い状態にすべく便宜上示したことを了解されたい。
【００２１】
ツインリング１１として完成した状態では、両端部２５，２５がリング部２０の円周軌跡上に位置してノート類Ｎの上端側及び下端側に突出することがない引っ掛かり防止形状となる。本実施例では、前記両端部２５，２５の端Ｅ,Ｅは、図３に示されるように、直近内側の線材すなわちリング部２０に突き当たるように設けられているが、端Ｅとリング部２０との間に若干の隙間が生じるようにしてもよい。
【００２２】
従って、このような実施例によれば、ツインリング１１の両端Ｅ,Ｅが、ノート類Ｎの上端側及び下端側に突出しないため、従来のような突出に伴う他物との引っ掛かりを確実に防止することができる。
【００２３】
なお、本発明は、前記実施例に限定されるものではない。例えば、図５に示されるように、端部２５を緩やかに傾斜した形状とし、その端Ｅが直近内側のリング部２０を形成する線材に突き当たるように、或いは、リング部２０に対して若干の隙間が生じるように形成することもできる。これによれば、前記実施例と同様の効果を得ることができる他、特に、端部２５が平面視で湾曲した状態になるため、他物が接しても、当該他物に傷を付ける虞も防止することができる。
【００２４】
また、図６に示されるように、リング部２０を構成する最も外側の線材に対して端部２５を内方に曲げて二本がぴったりと重なるように形成してもよい。この例では、端部２５はリング部２０の円環状軌跡、すなわち円周軌跡上に一致する位置に設けられているが、図６中紙面直交方向に二本重なるようにする構成、つまり、端部２５が円周軌跡に沿う構成も採用できる。このような構成によっても、前記実施例と同様の効果を得ることができる。この際、端部２５の長さによっては、前記重なり本数が増加する場合も考えられる。
【００２５】
更に、図７に示されるように、前述した端部２５相当部分を切除した構成も採用することができる。この構成では、線材の端部はリング部２０の先端部により構成され、その端Ｅ１が対向隣接する図中右側のリング部２０と、そのリング端２２との交差部Ｃに略接する状態に設けられる。また、この構成では、端Ｅ１を湾曲面に形成する構成、或いは、端Ｅ１に樹脂塊を溶融することで、線材を被覆している図示しない樹脂被膜に一体化させて端面をカバーしたり、更には、端Ｅ１に湾曲面を形成する等の構成を採用することもできる。このような実施例によっても、他物との引っ掛かりを効果的に防止することができる。また、端Ｅ１及びリング部２０の端部回りに適宜なキャップ等を被せる構成も考えられる。
【００２６】
更に、図８に示されるように、端Ｅが対向隣接する図中右側のリング部２０のリング端２２と、直近内側（図中下側）のリング２１端との間若しくはこれの近傍に位置するように設けることもでき、このような構成によっても前述した引っ掛かり防止を図ることができる。
【００２７】
また、図９に示されるように、例えば、前述した綴じ穴１０の二つを一つに連続する大きさに形成し、この綴じ穴１０を通過するリング部２０を形成する線材の本数を増加させることもできる。この例では、特に限定されるものではないが、四本通過するように形成されているが、綴じ穴１０の大きさと、これを通過する線材の本数は、更に変更することができる。
【００２８】
前記実施形態によれば、線材の端又は端部が引っ掛かり防止形状に設けられているため、線材の端に他物が引っ掛かる虞を防止することができる。
【００２９】
また、前記線材の端がリング部の略円周軌跡若しくは円周軌跡又はこれの近傍に位置する構成を採用したから、ノート類の上端側及び下端側に向かって突出する構成をなくすことができ、用紙の捲り操作に起因した用紙の破れ等も効果的に防止することができる。また、用紙捲り時に、最上段及び最下段の綴じ穴から線材の端部が外れることも効果的に防止し得る。
【００３０】
更に、線材の端部が二本重なるように曲げられる構成とした場合には、細い線材であっても、端部を太くすることが可能となり、仮に他物が引っ掛かることがあっても、当該他物に傷を付けたりする虞を回避することができる。
【００３１】
また、線材の端が直近内側のリング部を形成する線材に向かって曲げられる構成、或いは、線材の端が、直近内側のリング部に略接するように設けられた構成、又は、線材の端が対向隣接するリング部のリング端と、直近内側のリング端との間若しくはこれの近傍に位置する構成では、線材の端位置が従来のツインリングとは逆向きとなるため、前述した引っ掛かりを確実に防止することが可能となる。
【００３２】
更に、線材の端部にキャップなどからなるカバーを設けた場合には、線材の端面もカバーによって覆われる構造となり、防錆対策をも講ずることができ、経時的に発生し得る錆が他の書類に転移するような虞も解消可能となる。
【００３３】
加えて、線材の端を滑らかな円弧面に形成した構成では、意図的に他物に接触させても当該他物への傷付きを防止することができる。
【符号の説明】
【００３４】
１０  綴じ穴
１１  ツインリング
２０  リング部
２１  リング端
２２  リング端
２５  端部
Ｃ  交差部
Ｅ  端
Ｅ１  端
Ｎ  ノート類
【図１】
2011016374.tif 000003
【図２】
2011016374.tif 000004
【図３】
2011016374.tif 000005
【図４】
2011016374.tif 000006
【図５】
2011016374.tif 000007
【図６】
2011016374.tif 000008
【図７】
2011016374.tif 000009
【図８】
2011016374.tif 000010
【図９】
2011016374.tif 000011
【図１０】
2011016374.tif 000012
【図１１】
2011016374.tif 000013